(57)【特許請求の範囲】
【請求項１】
外殻を含み、前記外殻の中には回転空間が設置され、前記回転空間の中の上側には動力装置が設置され、前記動力装置の左右両側にはそれぞれ回転可能な従動軸及び旋転軸が設置され、前記従動軸と前記旋転軸との間にはサンシェードが回転できるように設置され、前記サンシェードの左右両側にはクランプ装置が設置され、前記クランプ装置は前記回転空間の中の前記サンシェードを固定でき、前記サンシェードの後側には押し動かしブロックがスライドできるように設置され、前記押し動かしブロックの後側には送り出し装置が設置され、前記送り出し装置は前記サンシェードを前記回転空間から送り出すことができ、前記サンシェードにはばね軸が固定的に連結され、前記ばね軸の中にはばねが設置され、前記送り出し装置の上側には第一歯車が回転できるように設置され、前記第一歯車の前側には前記クランプ装置が設置され、前記クランプ装置と前記送り出し装置とは前記第一歯車により連結され、前記回転空間の中にはまた前記動力装置が回転できるように設置され、前記動力装置は前記クランプ装置及び前記送り出し装置を駆動でき、前記送り出し装置の前側には二つの連結ドアがスライドできるように設置され、前記連結ドアの後側には二つの第二歯車が噛み合うように連結され、前記第二歯車の中心には中心軸が装着され、前記中心軸は前記回転空間の底壁と回転できるように連結され、二つの前記第二歯車の後側には二つの第三歯車が噛み合うように連結され、左側の前記第二歯車は前記従動軸と固定的に連結され、右側の前記第二歯車は前記旋転軸と固定的に連結され、前記第三歯車にはスライドロッドが噛み合うように連結され、前記スライドロッドの後側は前記送り出し装置と連結されていることを特徴とする車用サンシェード。
【請求項２】
前記動力装置はモーターを含み、前記モーターは前記回転空間の中に設置され、かつ前記回転空間の上端に位置し、前記モーターの下側にはモーター軸が伝動できるように連結され、前記モーターの下側には旋転車が回転できるように設置され、前記旋転車は前記モーター軸に固定的に連結され、前記旋転車の右側には従動プーリが回転できるように設置され、前記従動プーリと前記旋転車との間には従動ベルトが連結され、前記従動プーリは前記旋転軸と固定的に連結され、前記従動プーリの下側には従動旋転車が回転できるように設置され、前記従動旋転車の中には前記旋転軸が固定的に連結され、前記旋転車の下側には伝動車が回転できるように設置され、前記伝動車は前記モーター軸に固定的に連結され、前記伝動車の左側には従動車が回転できるように設置され、前記従動車と前記伝動車との間には回転ベルトが連結され、前記従動車は前記従動軸と固定的に連結され、前記従動車の下側には回転車が回転できるように設置され、前記回転車は前記従動軸に固定的に連結され、前記モーター軸の下端には昇降フレームがねじ山により装着されていることを特徴とする請求項１に記載の車用サンシェード。
【請求項３】
前記クランプ装置は挟みケースを含み、前記挟みケースは前記回転空間の中に設置され、前記挟みケースの中には下方に開口したスライド空間が設置され、前記スライド空間の上側内壁の中には昇降溝が連通するように形成され、前記スライド空間の中には二枚の対称のスライダが固定的に設置され、前記二枚のスライダの中にはばねが固定的に連結され、前記ばねの上側にはスライドロッドがスライドできるように設置され、前記スライドロッドの上端には昇降ロッドが固定的に連結され、前記昇降ロッドは前記昇降フレームと固定的に連結され、前記昇降溝の上端は前記昇降溝を通り抜けて前記回転空間の中に延在し、前記回転車の右端には噛合車が噛み合うように連結され、前記噛合車の中には回転軸が固定的に連結され、前記回転軸の右端には従動軸スリーブが回転できるように連結され、前記従動軸スリーブの右側には前記サンシェードが回転できるように設置され、前記従動旋転車の左端には従動噛合車が噛み合うように連結され、前記従動噛合車の中には従動旋転軸が固定的に連結され、前記従動旋転軸の左端には旋転軸スリーブが回転できるように連結され、前記旋転軸スリーブの左側には前記サンシェードが回転できるように設置されていることを特徴とする請求項１に記載の車用サンシェード。
【請求項４】
前記送り出し装置は固定軸を含み、前記固定軸は前記回転空間の中に設置され、かつ前記回転空間の後側に位置し、前記固定軸は第一歯車に固定的に連結され、前記第一歯車の前端は前記挟みケースに噛み合うように連結され、前記第一歯車の後端は従動ロッドに噛み合うように連結され、前記従動ロッドの下端は揺動軸に回転できるように設置され、前記揺動軸の後側には揺動ロッドが揺動できるように設置され、前記揺動ロッドの中には伸縮空間が設置され、前記伸縮空間の中にはスライドブロックがスライドできるように設置され、前記スライドブロックの下端には伸縮ロッドが固定的に連結され、前記伸縮ロッドの下端には前記押し動かしブロックがスライドできるように設置され、前記押し動かしブロックの後端には連結軸が回転できるように設置され、前記連結軸は前記伸縮ロッドと回転できるように連結され、前記押し動かしブロックの中にはスライドロッド空間が設置され、前記スライドロッドは前記スライドロッド空間の中にスライドできるように装着されていることを特徴とする請求項１に記載の車用サンシェード。
【発明の詳細な説明】
【技術分野】
【０００１】
本願発明は車用品分野に関し、具体的には車用サンシェードである。
【背景技術】
【０００２】
夏になると、車は室外で停まる時、フロントガラスが日差しに晒されるため、車内温度が高すぎるようになる。運転手は車の中に入った時に、温度が高すぎてたまらなく、車のエアコンを使っても温度をすぐに下げられない。また、サンシェードを一般的に手動で開け又は収納することは、効率が低下し、操作も不便である。
【先行技術文献】
【特許文献】
【０００３】
【特許文献１】中国特許出願公開第１０４１４９５８９号明細書
【発明の概要】
【発明が解決しようとする課題】
【０００４】
技術問題：
車が停まる時、フロントガラスに日除けをしなければならなく、サンシェードを手動で開け又は収納することは時間がかかるし、使用も不便である。
【課題を解決するための手段】
【０００５】
上記の問題を解決するため、本願発明は車用サンシェードを設計する。本願発明の車用サンシェードは、外殻を含み、前記外殻の中には回転空間が設置され、前記回転空間の中の上側には動力装置が設置され、前記動力装置の左右両側にはそれぞれ回転可能な従動軸及び旋転軸が設置され、前記従動軸と前記旋転軸との間にはサンシェードが回転できるように設置され、前記サンシェードの左右両側にはクランプ装置が設置され、前記クランプ装置は前記回転空間の中の前記サンシェードを固定でき、前記サンシェードの後側には押し動かしブロックがスライドできるように設置され、前記押し動かしブロックの後側には送り出し装置が設置され、前記送り出し装置は前記サンシェードを前記回転空間から送り出すことができ、前記サンシェードにはばね軸が固定的に連結され、前記ばね軸の中にはばねが設置され、前記送り出し装置の上側には第一歯車が回転できるように設置され、前記第一歯車の前側には前記クランプ装置が設置され、前記クランプ装置と前記送り出し装置とは前記第一歯車により連結され、前記回転空間の中にはまた前記動力装置が回転できるように設置され、前記動力装置は前記クランプ装置及び前記送り出し装置を駆動でき、前記送り出し装置の前側には二つの連結ドアがスライドできるように設置され、前記連結ドアの後側には二つの第二歯車が噛み合うように連結され、前記第二歯車の中心には中心軸が装着され、前記中心軸は前記回転空間の底壁と回転できるように連結され、二つの前記第二歯車の後側には二つの第三歯車が噛み合うように連結され、左側の前記第二歯車は前記従動軸と固定的に連結され、右側の前記第二歯車は前記旋転軸と固定的に連結され、前記第三歯車にはスライドロッドが噛み合うように連結され、前記スライドロッドの後側は前記送り出し装置と連結され、前記送り出し装置は前方にスライドする時、前記連結ドアは左右両側に開く。
【０００６】
さらなる技術プランには、前記動力装置はモーターを含み、前記モーターは前記回転空間の中に設置され、かつ前記回転空間の上端に位置し、前記モーターの下側にはモーター軸が伝動できるように連結され、前記モーターの下側には旋転車が回転できるように設置され、前記旋転車は前記モーター軸に固定的に連結され、前記旋転車の右側には従動プーリが回転できるように設置され、前記従動プーリと前記旋転車との間には従動ベルトが連結され、前記従動プーリは前記旋転軸と固定的に連結され、前記従動プーリの下側には従動旋転車が回転できるように設置され、前記従動旋転車の中には前記旋転軸が固定的に連結され、前記旋転車の下側には伝動車が回転できるように設置され、前記伝動車は前記モーター軸に固定的に連結され、前記伝動車の左側には従動車が回転できるように設置され、前記従動車と前記伝動車との間には回転ベルトが連結され、前記従動車は前記従動軸と固定的に連結され、前記従動車の下側には回転車が回転できるように設置され、前記回転車は前記従動軸に固定的に連結され、前記モーター軸の下端には昇降フレームがねじ山により装着され、前記モーターを作動させ、前記モーターにより前記モーター軸を駆動して回転させ、前記従動ベルトにより前記従動プーリを駆動して回転させ、前記従動プーリは前記旋転軸により前記従動旋転車を駆動して回転させ、前記モーター軸は前記伝動車を駆動して回転させ、前記回転ベルトにより前記従動車を駆動して回転させ、前記従動車は前記従動軸により前記回転車を駆動して回転させ、前記モーター軸は前記昇降フレームを駆動して上方に移動させる。
【０００７】
さらなる技術プランには、前記クランプ装置は挟みケースを含み、前記挟みケースは前記回転空間の中に設置され、前記挟みケースの中には下方に開口したスライド空間が設置され、前記スライド空間の上側内壁の中には昇降溝が連通するように形成され、前記スライド空間の中には二枚の対称のスライダが固定的に設置され、前記二枚のスライダの中にはばねが固定的に連結され、前記ばねの上側にはスライドロッドがスライドできるように設置され、前記スライドロッドの上端には昇降ロッドが固定的に連結され、前記昇降ロッドは前記昇降フレームと固定的に連結され、前記昇降溝の上端は前記昇降溝を通り抜けて前記回転空間の中に延在し、前記回転車の右端には噛合車が噛み合うように連結され、前記噛合車の中には回転軸が固定的に連結され、前記回転軸の右端には従動軸スリーブが回転できるように連結され、前記従動軸スリーブの右側には前記サンシェードが回転できるように設置され、前記従動旋転車の左端には従動噛合車が噛み合うように連結され、前記従動噛合車の中には従動旋転軸が固定的に連結され、前記従動旋転軸の左端には旋転軸スリーブが回転できるように連結され、前記旋転軸スリーブの左側には前記サンシェードが回転できるように設置され、前記回転車は前記噛合車を駆動して回転させ、前記回転軸は前記従動軸スリーブを駆動して左方に移動させ、前記従動旋転車は前記従動噛合車を駆動して回転させ、前記従動旋転軸は前記旋転軸スリーブを駆動して右方に移動させ、前記昇降フレームは前記昇降ロッドを駆動して上方に移動させ、前記昇降ロッドは前記挟みケースを駆動して上方に移動させる。
【０００８】
さらなる技術プランには、前記送り出し装置は固定軸を含み、前記固定軸は前記回転空間の中に設置され、かつ前記回転空間の後側に位置し、前記固定軸は第一歯車に固定的に連結され、前記第一歯車の前端は前記挟みケースに噛み合うように連結され、前記第一歯車の後端は従動ロッドに噛み合うように連結され、前記従動ロッドの下端は揺動軸に回転できるように設置され、前記揺動軸の後側には揺動ロッドが揺動できるように設置され、前記揺動ロッドの中には伸縮空間が設置され、前記伸縮空間の中にはスライドブロックがスライドできるように設置され、前記スライドブロックの下端には伸縮ロッドが固定的に連結され、前記伸縮ロッドの下端には前記押し動かしブロックがスライドできるように設置され、前記押し動かしブロックの後端には連結軸が回転できるように設置され、前記連結軸は前記伸縮ロッドと回転できるように連結され、前記押し動かしブロックの中にはスライドロッド空間が設置され、前記スライドロッドは前記スライドロッド空間の中にスライドできるように装着され、前記挟みケースは前記第一歯車により前記従動ロッドを駆動して下方に移動させ、前記従動ロッドは前記揺動ロッドにより前記押し動かしブロックを駆動して前方にスライドさせ、前記押し動かしブロックは前記スライドロッドを駆動して前方にスライドさせ、前記スライドロッドはそれぞれ前記第三歯車に噛み合い、さらに前記スライドロッドは前方にスライドし、前記第二歯車と前記第三歯車とにより前記連結ドアを左右両側へ開ける。
【発明の効果】
【０００９】
本願発明の有益な効果は：本願発明はサンシェードを自動的に送り出し、手動で操作する必要がなく、また自動的にサンシェードを収めることができるため、手動で操作する作業を省き、便利性を向上させる。
【図面の簡単な説明】
【００１０】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１１】
【図１】図１は本願発明の車用サンシェードの全体構成概略図
【図２】図２は図１にいて「Ａ―Ａ」方向の構成概略図
【図３】図３は図１にいて「Ｂ―Ｂ」方向の構成概略図
【図４】図４は図３の構成が使用される時の概略図
【図５】図５は図１において「Ｃ―Ｃ」方向の構成概略図
【図６】図６は図５において「Ｄ―Ｄ」方向の構成概略図
【発明を実施するための形態】
【００１２】
本願発明は車用サンシェードに関し、主に車の日除けに使用され、以下、本願発明図面を参照してさらなる説明をする。
【００１３】
本願発明の車用サンシェードは、外殻１１を含み、前記外殻１１の中には回転空間１２が設置され、前記回転空間１２の中の上側には動力装置１０１が設置され、前記動力装置１０１の左右両側にはそれぞれ回転可能な従動軸３７及び旋転軸２９が設置され、前記従動軸３７と前記旋転軸２９との間にはサンシェード３３が回転できるように設置され、前記サンシェード３３の左右両側にはクランプ装置１０２が設置され、前記クランプ装置１０２は前記回転空間１２の中の前記サンシェード３３を固定でき、前記サンシェード３３の後側には押し動かしブロック５６がスライドできるように設置され、前記押し動かしブロック５６の後側には送り出し装置１０３が設置され、前記送り出し装置１０３は前記サンシェード３３を前記回転空間１２から送り出すことができ、前記サンシェード３３にはばね軸３８が固定的に連結され、前記ばね軸３８の中にはばねが設置され、前記送り出し装置１０３の上側には第一歯車４５が回転できるように設置され、前記第一歯車４５の前側には前記クランプ装置１０２が設置され、前記クランプ装置１０２と前記送り出し装置１０３とは前記第一歯車４５により連結され、前記回転空間１２の中にはまた前記動力装置１０１が回転できるように設置され、前記動力装置１０１は前記クランプ装置１０２及び前記送り出し装置１０３を駆動でき、前記送り出し装置１０３の前側には二つの連結ドア５７がスライドできるように設置され、前記連結ドア５７の後側には二つの第二歯車５９が噛み合うように連結され、前記第二歯車５９の中心には中心軸５８が装着され、前記中心軸５８は前記回転空間１２の底壁と回転できるように連結され、二つの前記第二歯車５９の後側には二つの第三歯車３６が噛み合うように連結され、左側の前記第二歯車３６は前記従動軸３７と固定的に連結され、右側の前記第二歯車３６は前記旋転軸２９と固定的に連結され、前記第三歯車３６にはスライドロッド５５が噛み合うように連結され、前記スライドロッド５５の後側は前記送り出し装置１０３と連結され、前記送り出し装置１０３は前方にスライドする時、前記連結ドア５７は左右両側に開く。
【００１４】
実施例により、以下、前記動力装置１０１について詳しく説明し、前記動力装置１０１はモーター２１を含み、前記モーター２１は前記回転空間１２の中に設置され、かつ前記回転空間１２の上端に位置し、前記モーター２１の下側にはモーター軸２０が伝動できるように連結され、前記モーター２１の下側には旋転車２２が回転できるように設置され、前記旋転車２２は前記モーター軸２０に固定的に連結され、前記旋転車２２の右側には従動プーリ２４が回転できるように設置され、前記従動プーリ２４と前記旋転車２２との間には従動ベルト２３が連結され、前記従動プーリ２４は前記旋転軸２９と固定的に連結され、前記従動プーリ２４の下側には従動旋転車２６が回転できるように設置され、前記従動旋転車２６の中には前記旋転軸２９が固定的に連結され、前記旋転車２２の下側には伝動車１９が回転できるように設置され、前記伝動車１９は前記モーター軸２０に固定的に連結され、前記伝動車１９の左側には従動車１６が回転できるように設置され、前記従動車１６と前記伝動車１９との間には回転ベルト１８が連結され、前記従動車１６は前記従動軸３７と固定的に連結され、前記従動車１６の下側には回転車１４が回転できるように設置され、前記回転車１４は前記従動軸３７に固定的に連結され、前記モーター軸２０の下端には昇降フレーム１７がねじ山により装着され、前記モーター２１を作動させ、前記モーター２１により前記モーター軸２０を駆動して回転させ、前記従動ベルト２３により前記従動プーリ２４を駆動して回転させ、前記従動プーリ２４は前記旋転軸２９により前記従動旋転車２６を駆動して回転させ、前記モーター軸２０は前記伝動車１９を駆動して回転させ、前記回転ベルト１８により前記従動車１６を駆動して回転させ、前記従動車１６は前記従動軸３７により前記回転車１４を駆動して回転させ、前記モーター軸２０は前記昇降フレーム１７を駆動して上方に移動させる。
【００１５】
実施例により、以下、前記クランプ装置１０２について詳しく説明し、前記クランプ装置１０２は挟みケース２５を含み、前記挟みケース２５は前記回転空間１２の中に設置され、前記挟みケース２５の中には下方に開口したスライド空間３９が設置され、前記スライド空間３９の上側内壁の中には昇降溝４４が連通するように形成され、前記スライド空間３９の中には二枚の対称のスライダ４１が固定的に設置され、前記二枚のスライダ４１の中にはばね４２が固定的に連結され、前記ばね４２の上側にはスライドロッド４３がスライドできるように設置され、前記スライドロッド４３の上端には昇降ロッド４０が固定的に連結され、前記昇降ロッド４０は前記昇降フレーム１７と固定的に連結され、前記昇降溝４４の上端は前記昇降溝４４を通り抜けて前記回転空間１２の中に延在し、前記回転車１４の右端には噛合車１３が噛み合うように連結され、前記噛合車１３の中には回転軸１５が固定的に連結され、前記回転軸１５の右端には従動軸スリーブ３４が回転できるように連結され、前記従動軸スリーブ３４の右側には前記サンシェード３３が回転できるように設置され、前記従動旋転車２６の左端には従動噛合車２７が噛み合うように連結され、前記従動噛合車２７の中には従動旋転軸３１が固定的に連結され、前記従動旋転軸３１の左端には旋転軸スリーブ３２が回転できるように連結され、前記旋転軸スリーブ３２の左側には前記サンシェード３３が回転できるように設置され、前記回転車１４は前記噛合車１３を駆動して回転させ、前記回転軸１５は前記従動軸スリーブ３４を駆動して左方に移動させ、前記従動旋転車２６は前記従動噛合車２７を駆動して回転させ、前記従動旋転軸３１は前記旋転軸スリーブ３２を駆動して右方に移動させ、前記昇降フレーム１７は前記昇降ロッド４０を駆動して上方に移動させ、前記昇降ロッド４０は前記挟みケース２５を駆動して上方に移動させる。
【００１６】
実施例により、以下、前記送り出し装置１０３について詳しく説明し、前記送り出し装置１０３は固定軸４６を含み、前記固定軸４６は前記回転空間１２の中に設置され、かつ前記回転空間１２の後側に位置し、前記固定軸４６は第一歯車４５に固定的に連結され、前記第一歯車４５の前端は前記挟みケース２５に噛み合うように連結され、前記第一歯車４５の後端は従動ロッド４７に噛み合うように連結され、前記従動ロッド４７の下端は揺動軸４８に回転できるように設置され、前記揺動軸４８の後側には揺動ロッド４９が揺動できるように設置され、前記揺動ロッド４９の中には伸縮空間５１が設置され、前記伸縮空間５１の中にはスライドブロック５０がスライドできるように設置され、前記スライドブロック５０の下端には伸縮ロッド５２が固定的に連結され、前記伸縮ロッド５２の下端には前記押し動かしブロック５６がスライドできるように設置され、前記押し動かしブロック５６の後端には連結軸５３が回転できるように設置され、前記連結軸５３は前記伸縮ロッド５２と回転できるように連結され、前記押し動かしブロック５６の中にはスライドロッド空間５４が設置され、前記スライドロッド５５は前記スライドロッド空間５４の中にスライドできるように装着され、前記挟みケース２５は前記第一歯車４５により前記従動ロッド４７を駆動して下方に移動させ、前記従動ロッド４７は前記揺動ロッド４９により前記押し動かしブロック５６を駆動して前方にスライドさせ、前記押し動かしブロック５６は前記スライドロッド５５を駆動して前方にスライドさせ、前記スライドロッド５５はそれぞれ前記第三歯車３６に噛み合い、さらに前記スライドロッド５５は前方にスライドし、前記第二歯車５９と前記第三歯車３６とにより前記連結ドア５７を左右両側へ開ける。
【００１７】
以下、図１〜６を参照して本願発明の車用サンシェードの使用手順について詳しく説明する：初めに、従動軸スリーブ３４及び旋転軸スリーブ３２はサンシェード３３をきつく挟み、挟みケース２５は下方へサンシェード３３を挟み、スライドロッド４３はスライド空間３９の下側に位置し、ばね４２は緩んだ状態にあり、押し動かしブロック５６は回転空間１２の後側に位置している。
【００１８】
使用の時、モーター２１を作動させ、モーター２１はモーター軸２０により旋転車２２を駆動して回転させ、旋転車２２は従動ベルト２３により従動プーリ２４を駆動して回転させ、従動プーリ２４は旋転軸２９により従動旋転車２６を駆動して回転させ、従動旋転車２６は従動噛合車２７により従動旋転軸３１を駆動して回転させ、従動旋転軸３１は旋転軸スリーブ３２を駆動して右側へ回転させ、モーター軸２０は伝動車１９を駆動して回転させ、伝動車１９は回転ベルト１８により従動車１６を駆動して回転させ、従動車１６は従動軸３７により回転車１４を駆動して回転させ、回転車１４は噛合車１３により回転軸１５を駆動して回転させ、回転軸１５は従動軸スリーブ３４を駆動して左側へ回転させ、モーター軸２０は昇降フレーム１７を駆動して上方に移動させ、昇降フレーム１７は昇降ロッド４０を駆動して上方にスライドさせ、昇降ロッド４０はスライドロッド４３によりスライダ４１を駆動して前後両側へスライドさせ、昇降ロッド４０は挟みケース２５を駆動して上方に移動させ、サンシェード３３は挟まれなくなり、挟みケース２５は上方に移動し、かつ固定軸４６により従動ロッド４７を駆動して下方に移動させ、従動ロッド４７は揺動ロッド４９により押し動かしブロック５６を駆動して前方にスライドさせ、前記押し動かしブロック５６はサンシェード３３を前方に押し動かすことで、サンシェード３３は前方に転がり、旋転軸２９及び従動軸３７は第三歯車３６を駆動して回転させ、第三歯車３６は第二歯車５９を駆動して回転させ、さらに連結ドア５７を駆動して左右両側へ開け、二つのスライドロッド５５は第二歯車５９に噛み合うことで、スライドロッド５５は前方にスライドしてサンシェード３３を押し動かして転がせ、ばね軸３８の中のばねは引っ張られ、車に日除けをする。
【００１９】
本願発明の有益な効果は：本願発明はサンシェードを自動的に送り出し、手動で操作する必要がなく、また自動的にサンシェードを収めることができるため、手動で操作する作業を省き、便利性を向上させる。
【００２０】
上記の方式によって、当業者は本発明の範囲内で作動モードに基づいて様々な変わりを行える。
【要約】
【課題】本願発明は車用サンシェードを開示した。
【解決手段】
外殻を含み、前記外殻の中には回転空間が設置され、前記回転空間の中の上側には動力装置が設置され、前記動力装置の左右両側にはそれぞれ回転可能な従動軸及び旋転軸が設置され、前記従動軸と前記旋転軸との間にはサンシェードが回転できるように設置され、前記サンシェードの左右両側にはクランプ装置が設置され、前記クランプ装置は前記回転空間の中の前記サンシェードを固定でき、前記サンシェードの後側には押し動かしブロックがスライドできるように設置され、前記押し動かしブロックの後側には送り出し装置が設置され、本願発明はサンシェードを自動的に送り出し、手動で操作する必要がなく、また自動的にサンシェードを収めることができるため、手動で操作する作業を省き、便利性を向上させる。
【選択図】図１【図１】
0006808125.tif 000002
【図２】
0006808125.tif 000003
【図３】
0006808125.tif 000004
【図４】
0006808125.tif 000005
【図５】
0006808125.tif 000006
【図６】
0006808125.tif 000007